(57)【要約】【目的】    本発明は、仮に乱暴に取り扱っても、ノートパソコンを損傷することなく使用することができ、特に、バッグごと落したりして、破損させると、ハードディスクが破壊することもあった点を解消することを目的とする。【構成】  断面Ｕ字状のバッグ本体１に対して、ノートパソコン収納袋部２の左右の上辺縁２０ａ，２０ａのみが取付けられ且つ前記ノートパソコン収納袋２は吊り下げ状態に構成され、該ノートパソコン収納袋２の底部２１と前記バッグ本体１の本体底部１１との間には適宜な空隙Ｓが形成されてなること。前記バッグ本体１の前後の垂直辺箇所にコ字状の補強用帯板４が装着されると共に、前記バッグ本体１の左右の表側部の上辺縁１０ａ，１０ａ箇所に取っ手部５が設けられてなること。【選択図】      図１
2007209706.tif 000002
【特許請求の範囲】
【請求項１】
断面Ｕ字状のバッグ本体に対して、ノートパソコン収納袋部の上辺縁のみが取付けられ且つ前記ノートパソコン収納袋は吊り下げ状態に構成され、該ノートパソコン収納袋の底部と前記バッグ本体の本体底部との間には適宜な空隙が形成されてなり、前記バッグ本体の前後の垂直辺箇所にコ字状の補強用帯板を装着されると共に、前記バッグ本体の左右の表側部の上辺縁箇所に取っ手部が設けられてなることを特徴とするノートパソコン用バッグ。
【請求項２】
請求項１において、前記ノートパソコン収納袋部を、緩衝材入りとしてなることを特徴とするノートパソコン用バッグ。
【請求項３】
請求項１又は２において、前記バッグ本体は二重面として形成されると共に、前記補強用帯板は、前記バッグ本体の内面に収納されてなることを特徴とするノートパソコン用バッグ。
【請求項４】
請求項１又は２において、前記補強用帯板は、前記バッグ本体の表面に露出されてなることを特徴とするノートパソコン用バッグ。
【請求項５】
請求項１又は２において、前記ノートパソコン収納袋の側部の上辺縁箇所又は上辺縁箇所の中間に、伸縮可能なゴム又はバネ等の弾性片が介在されてなることを特徴とするノートパソコン用バッグ。
【請求項６】
請求項１，２，３，４又は５において、前記補強用帯板及び前記取っ手部は、前記バッグ本体にリベットにて固定されてなることを特徴とするノートパソコン用バッグ。
【発明の詳細な説明】
【技術分野】
【０００１】
本発明は、バッグ毎落としても、或いは仮に乱暴に取り扱っても、ノートパソコンを損傷することなく使用することができるノートパソコン用バッグに関する。
【背景技術】
【０００２】
ノートパソコン用バッグとしては、極めて多くの種類のものが出回っている。簡易なものとしては、スポンジ状の袋にしたものが、安価であることから多いのが実情である。特許文献１に示すようなノートパソコン用バッグは、該バッグに収納した状態においてノートパソコンを使用できるようにしたものである。
【特許文献１】特願平１１−３１３７０９号
【発明の開示】
【発明が解決しようとする課題】
【０００３】
しかしながら、大きなバッグの中にノートパソコンを保管しておくのではなく、通勤又は通学の電車の中でも、バスの中でも、ノートパソコンを操作したい人は多い。このような場合には、専用のノートパソコン用バッグとして、使い勝手が良く、しかも破損がしにくいものが存在しなかった。このため、発明が解決しようとする課題（技術的課題又は目的）は、仮に乱暴に取り扱っても、ノートパソコンを損傷することなく使用することができることである。特に、バッグごと落したりして、破損させると、ハードディスクが破壊することもあった点を解消することにある。
【課題を解決するための手段】
【０００４】
そこで、発明者は上記課題を解決すべく鋭意，研究を重ねた結果、請求項１の発明を、断面Ｕ字状のバッグ本体に対して、ノートパソコン収納袋部の上辺縁のみが取付けられ且つ前記ノートパソコン収納袋は吊り下げ状態に構成され、該ノートパソコン収納袋の底部と前記バッグ本体の本体底部との間には適宜な空隙が形成されてなり、前記バッグ本体の前後の垂直辺箇所にコ字状の補強用帯板を装着されると共に、前記バッグ本体の左右の表側部の上辺縁箇所に取っ手部が設けられてなることを特徴とするノートパソコン用バッグとしたことにより、前記課題を解決したものである。
【０００５】
請求項２の発明を、前述の構成において、前記ノートパソコン収納袋部を、緩衝材入りとしてなることを特徴とするノートパソコン用バッグとしたことにより、前記課題を解決した。また、請求項３の発明を、前述の構成において、前記バッグ本体は二重面として形成されると共に、前記補強用帯板は、前記バッグ本体の内面に収納されてなることを特徴とするノートパソコン用バッグとしたことにより、前記課題を解決した。
【０００６】
請求項４の発明を、前述の構成において、前記補強用帯板は、前記バッグ本体の表面に露出されてなることを特徴とするノートパソコン用バッグとしたことにより、前記課題を解決した。また、請求項５の発明を、前述の構成において、前記ノートパソコン収納袋の側部の上辺縁箇所又は上辺縁箇所の中間に、伸縮可能なゴム又はバネ等の弾性片が介在されてなることを特徴とするノートパソコン用バッグとしたことにより、前記課題を解決した。さらに、請求項６の発明を、前述の構成において、前記補強用帯板及び前記取っ手部は、前記バッグ本体にカシメにて固定されてなることを特徴とするノートパソコン用バッグとしたことにより、前記課題を解決したものである。
【発明の効果】
【０００７】
請求項１の発明においては、乱暴に取り扱っても、ノートパソコンを損傷することなく使用することができる。特に、バッグ毎落したりして、破損させると、ハードディスクが破壊することもあったが、この不都合を本発明では、衝撃力を吸収して回避できる最大の利点がある。請求項２の発明においては、より効果的に損傷を防止できる。他の構成は請求項１と同一であり、請求項１と同等の効果を奏する。請求項３の発明においては、前記バッグ本体の表面のみが外観となり、ノートパソコン用バッグの機能を隠しつつバッグのみの品格を提唱できる。また、請求項４の発明においては、補強用帯板を外観として出しつつノートパソコン用バッグの強固性を提唱できる。さらに、請求項５の発明においては、弾性片によって衝撃力を吸収して、ノートパソコンをより損傷することなく使用することができる。さらに、請求項６の発明においては、強度性をより主張できる。
【発明を実施するための最良の形態】
【０００８】
本発明の実施形態を図面に基づいて説明する。図１（Ａ）及び（Ｂ）は、ノートパソコン用バッグの第１実施例である。１はバッグ本体であって、適宜な大きさの長方形又は正方形などの表側部１０と、比較的幅広の本体底部１１とからなり、断面Ｕ字状をなしている。特に、ノートパソコンを収納するため、前記表側部１０の大きさは、大きくても、Ｂ４版又はＡ４版と略同等に形成されている。
【０００９】
前記バッグ本体１は、比較的強度性を有する布材が２枚裏表として形成されている［図１（Ｂ）乃至（Ｄ）参照］。この材料としては布材又は不織布材、或いは合成樹脂材、さらには皮革材等である。また、場合によっては、比較的厚材の１枚もので形成されることもある［図３（Ｂ）及び（Ｃ）参照］。２はノートパソコン収納袋部であって、実際にノートパソコンが収納される袋部である。
【００１０】
該ノートパソコン収納袋部２は、ノートパソコンを入れる適宜な大きさの長方形又は正方形などの側部２０，２０と、底部２１と、前縁部２２と、後縁部２３とから形成されている。前記側部２０，２０の上辺縁２０ａ，２０ａのみが前記バッグ本体１に取付けられ且つ前記ノートパソコン収納袋部２は吊り下げ状態に構成され、該ノートパソコン収納袋部２の底部２１と前記バッグ本体１の本体底部１１との間には適宜な空隙Ｓが形成されている。この高さとしては、ノートパソコンを収納してもしなくとも約Ｈ０を有している［図１（Ｃ），図２（Ａ），図３（Ｃ）参照］。これは、後述の弾性片８が設けられない場合である。
【００１１】
前記ノートパソコン収納袋部２は、緩衝材３入りとして形成されることもある［図３（Ｃ）点線部参照］。４は補強用帯板であって、コ字状をなしている［図１（Ｂ）、図２及び図３（Ｂ）参照］。この大きさは、前記バッグ本体１の断面の大きさと同等に形成され、該バッグ本体１の前（図１の左側参照）後（図１の右側参照）の垂直辺箇所に装着されている。
【００１２】
具体的には、前記バッグ本体１が二重面として形成されている場合において、前記補強用帯板４は、前記バッグ本体１の内面に芯金として収納され、表側に露出しない構成になっている。この場合には、前記バッグ本体１の表面のみが外観となり、ノートパソコン用バッグの機能を隠しつつバッグのみの品格を提唱できる。
【００１３】
該緩衝材３入り又は無しでも、前記ノートパソコン収納袋部２内に、ノートパソコンＰを収納した状態で、本発明のノートパソコン用バッグを、ある程度の高さ（例えば、１ｍ程度：図２（Ａ）参照）］から落下させると［図２（Ｂ）参照］、前記補強用帯板４の弾性力にて、前記ノートパソコン収納袋部２の底部２１と前記バッグ本体１の本体底部１１との間には依然として僅かな空隙Ｓが保持でき、且つ僅かの高さαだけ下がるが依然として高さＨを保持する［図２（Ｃ）参照］ように構成されている。
【００１４】
前記補強用帯板４が、前記バッグ本体１の表面に露出されて構成されることもある（図３参照）。この場合には、補強用帯板４を外観として出しつつ、デザイン性を高めると共に、ノートパソコン用バッグの強固性を提唱できる。また、前記バッグ本体１の左右の表側部１０，１０の上辺縁１０ａ，１０ａ箇所に、山形状の取っ手部５，５が設けられている（図１及び３参照）。
【００１５】
該取っ手部５，５を設けない場合は、図５（Ａ）に示すように、前記上辺縁１０ａ，１０ａ箇所の中央部を、少し上側に伸ばして、その適宜の箇所に、手の指が入る孔状の取っ手部５，５が設けられることもある。また、図５（Ｂ）に示すように、肩掛け用ベルト状の取っ手部５を設けることもある。
【００１６】
図５に示したものは、本発明の別の実施例であって、前記ノートパソコン収納袋部２の側部２０，２０の上辺縁２０ａ，２０ａ箇所又は上辺縁２０ａ，２０ａ箇所の中間に、伸縮可能なゴム又はバネ等の弾性片８が複数［図５（Ａ）では４片］介在され、ノートパソコンＰを収納しつつ、適宜の高さ（例えば、約１ｍ程度）からバッグ毎落としても、図５（Ｂ）に示す点線位置までしか下がず、適宜な間隔Ｈを保持するように構成されている。つまり、前記弾性片８の長さＬ０がノートパソコンＰの落下衝撃による伸びて長さβだけ増加し［図５（Ｃ）参照］、そのパソコンＰの衝撃荷重を吸収して、ノートパソコンＰのハードディスクの破壊を防止できるものである。特に、無荷重又はノートパソコン装填時の所定間隔Ｈ０＞衝撃時高さＨとして構成されている。
【００１７】
また、前記補強用帯板４及び前記取っ手部５は、前記バッグ本体１にカシメ止め８にされたり、或いはビス止めし、さらには、糸掛けなどで固定されることもある。前記バッグ本体１の表側部１０には、小補助袋部６を設けることもある。図１（Ａ）の場合には、一側の表側部１０には、真ん中で分離した小補助袋部６が設けられている。また、図３（Ａ）及び図４（Ａ）に示すように、前記表側部１０には、大きな補助袋部７が設けられている。
【産業上の利用可能性】
【００１８】
本発明は、ノートパソコンＰ用に使用するバッグであるが、ノートパソコンＰと同様な精密に製造された精密機械等を収納する場合にも利用できる。最も、その構造は本発明と同様とし、その精密機械の形状、大きさなどを考慮して、バッグ形状を決定する必要がある。
【図面の簡単な説明】
【００１９】
【図１】（Ａ）は本発明の第１実施形態の斜視図、（Ｂ）は（Ａ）の要部断面図、（Ｃ）は（Ｂ）の（ア）個所の拡大断面図、（Ｄ）は（Ｂ）の（イ）個所の拡大断面図である。
【図２】（Ａ）は本発明第１実施形態にノートパソコンを入れて適宜の高さより落とさんとしている状態図、（Ｂ）は落とした瞬間の状態図、（Ｃ）は落ちた後に、弾性力の作用にてノートパソコン収納袋部が地面に当たらないようになる状態図である。
【図３】（Ａ）は本発明の第２実施形態の斜視図、（Ｂ）は（Ａ）の要部断面図、（Ｃ）は（Ｂ）の（ウ）個所の拡大断面図である。
【図４】（Ａ）は本発明の第３実施形態の斜視図、（Ｂ）は（Ａ）の要部断面図、（Ｃ）は（Ｂ）の（エ）個所の拡大断面図である。
【図５】（Ａ）及び（Ｂ）は本発明の別の実施形態の斜視図である。
【符号の説明】
【００２０】
１…バッグ本体、２…ノートパソコン収納袋部、３…緩衝材、
４…補強用帯板、５…取っ手部、１０ａ，２０ａ…上辺縁、８…弾性片。
【図１】
2007209706.tif 000003
【図２】
2007209706.tif 000004
【図３】
2007209706.tif 000005
【図４】
2007209706.tif 000006
【図５】
2007209706.tif 000007